(57)【要約】【課題】  本発明は継手がその契合後抜けたり外れたりしない手段の提案にある。【解決手段】  リブで形成された樹脂製盤体を有するブロックの盤体相互の契合用オスーメス継手において、メス継手は前記盤体の内方に向けて設けた筒部であり、当該筒部の内側には契合用片部が複数対、筒部内方に向け、かつ筒部の中心に対し対称に設けられ、オス継手は平板上に突出する棒体と頭部に押さえ契合片を有する柱体からなり、当該棒体の表面には環状溝部が複数対契合用片部に対応する位置に設けられ、柱体は樹脂製盤体の縁部に対応する位置に設けられ、押さえ契合片が盤体縁部に契合する樹脂製盤体に設けたメス継手と契合するオス継手である。【選択図】図１
2011236955.tif 000002
【特許請求の範囲】
【請求項１】
リブで形成された樹脂製盤体を有するブロックの盤体相互の契合用オスーメス継手において、メス継手は前記盤体の内方に向けて設けた筒部であり、当該筒部の内側には契合用片部が複数対、筒部内方に向け、かつ筒部の中心に対し対称に設けられ、オス継手は平板上に突出する棒体で、当該棒体の表面には環状溝部が複数対契合用片部に対応する位置に設けられた樹脂製盤体に設けたメス継手と契合するオス継手。
【請求項２】
リブで形成された樹脂製盤体を有するブロックの盤体相互の契合用オスーメス継手において、メス継手は前記盤体の内方に向けて設けた筒部であり、当該筒部の内側には契合用片部が複数対、筒部内方に向け、かつ筒部の中心に対し対称に設けられ、オス継手は平板上に突出する棒体と頭部に押さえ契合片を有する柱体からなり、当該棒体の表面には環状溝部が複数対契合用片部に対応する位置に設けられ、柱体は樹脂製盤体の縁部に対応する位置に設けられ、押さえ契合片が盤体縁部に契合する樹脂製盤体に設けたメス継手と契合するオス継手。
【発明の詳細な説明】
【技術分野】
【０００１】
本発明は、樹脂製盤体を契合する継手技術に属する。
【背景技術】
【０００２】
従来、平板状の盤体4個をそれらの隅を突合せて契合させる、あるいは2個をそれらの辺部を突合せて契合するするオスメス継手は、平板の両面あるいは片面に棒状の突状部を設けて盤体部の表面に設けた孔にその棒状部を差し込むことで契合している。特開2009-114736にはメス継手である貫通孔の後方に鞘を設け、挿入された突状部をその鞘で補強する例が開示されている。契合後簡単に外れない強固な契合が得られる継手が求められている。
【先行技術文献】
【特許文献】
【０００３】
【特許文献１】特開2009-114736
【発明の概要】
【発明が解決しようとする課題】
【０００４】
オスメス継手はその契合を確実とするためオス継手の上部を笠状にして挿入後開いた笠によって抜けないようにしている。挿入時は閉じ、挿入後開く笠状のため薄くする必要がある。そのためその強度には限界がある。本発明は、継手がその契合後抜けたり外れたりしない手段の提案にある。
【課題を解決するための手段】
【０００５】
本第1の発明は、リブで形成された樹脂製盤体を有するブロックの盤体相互の契合用オスーメス継手において、メス継手は前記盤体の内方に向けて設けた筒部であり、当該筒部の内側には契合用片部が複数対、筒部内方に向け、かつ筒部の中心に対し対称に設けられ、オス継手は平板上に突出する棒体で、当該棒体の表面には環状溝部が複数対契合用片部に対応する位置に設けられた樹脂製盤体に設けたメス継手と契合するオス継手である。
契合を強固なものとするためメス継手部を筒状とし、契合を多重とした。
本第2の発明は、リブで形成された樹脂製盤体を有するブロックの盤体相互の契合用オスーメス継手において、メス継手は前記盤体の内方に向けて設けた筒部であり、当該筒部の内側には契合用片部が複数対、筒部内方に向け、かつ筒部の中心に対し対称に設けられ、オス継手は平板上に突出する棒体と頭部に押さえ契合片を有する柱体からなり、当該棒体の表面には環状溝部が複数対契合用片部に対応する位置に設けられ、柱体は樹脂製盤体の縁部に対応する位置に設けられ、押さえ契合片が盤体縁部に契合する樹脂製盤体に設けたメス継手と契合するオス継手である。上記契合に加え更に盤体を外側から押さえる押さえ契合片を設けた。
【発明の効果】
【０００６】
本願第1の発明は、メス継手部を筒状としたため、横方向へのブレが防止できかつ契合部を多重としたためより強固な契合が得られる。
本願第２の発明は、更に盤体を外側から押さえる契合片を設けたため契合がより強固となる。
【図面の簡単な説明】
【０００７】
【図１】は、樹脂製盤体を有するブロックと盤体に設けたメス継手を示す概念図である。
【図２】は、メス継手部分を拡大した図である。
【図３】は、第１のオス継手の例を示す概念図である。
【図４】は、第１のオス継手とメス継手の契合を示す概念図である。
【図５】は、第２のオス継手の例を示す概念図である。
【図６】は、第２のオス継手の他の例を示す概念図である。
【図７】は、第２のオス継手とメス継手の契合を示す概念図である。
【図８】は、本継手を使用したブロックの使用例を示す概念図である。
【発明を実施するための形態】
【０００８】
図１は、リブで形成された樹脂製盤体に脚部を設けたブロックの平面図と断面図である。図１ａは平面図、図１ｂは断面図である。メス継手は図では盤体の４隅及び辺部に設けられている。辺部に設けたメス継手は、相接するブロックの辺部を契合し、隅部に設けたメス継手は、４つのブロックが突き合せた隅部を契合する。
【０００９】
図２は、メス継手の拡大図である。図２ａは平面図、図２ｂは断面図である。図に示すように、本発明に係わるメス継手はリブで形成された樹脂製盤体のリブで囲まれた透孔をその上面を覆い、その覆いから盤体内方に突出するように設けた筒部である。筒部はリブで構成された盤体内に存在する。
メス継手である筒部内部に筒部壁面から内方に向けて契合用片部が上下に契合用片部１及び契合用片部２として設けられている。契合用片部は筒部中心に対し対称に設けられており、契合用片部１と契合用片部２とはそれぞれ９０度向きが異なるように設けられている。
【００１０】
図３は、本第１の発明に係わるオス継手の概念図である。図３ａは平面図、図３ｂは断面図である。オス継手は平板上に突出する棒体であり、棒体の表面には環状溝１及び環状溝２が設けられている。この二本の環状溝は上記契合用片部１と契合用片部２に対応する位置に設けられている。図では、棒体は四本設けられているが、四本に限るものではなく二つの盤体の辺部同士を契合する場合、四個の盤体の四隅を契合する場合など必要に応じて平板上の位置、個数等適宜変えることができる。
【００１１】
上記メス継手の筒部内に設ける契合用片部の数、オス継手の棒体に設けた環状溝の数は適宜変えることができる。また、契合用片部１と契合用片部２との角度の差は互いに干渉しないような位置とすることが好ましい。
【００１２】
図４は、本発明に係わる継手の契合状態を示す断面図である。
契合用片部１及び契合用片部２が９０度ずれて配置されているため互いに干渉することなく契合がなされる。盤体の辺部、隅部いずれの契合でも基本的には契合部は同じである。盤体を上下に二枚契合する場合、オス継手の棒体は平板に対し上下方向に突出するように設けられ、盤体を二枚平面的に契合する場合は、棒体は平面に対し一方向に突出するように設けられる。
【００１３】
図５は、本第２の発明に係わるオス継手の概念図である。図５ａは盤体の辺部を契合するオス継手であり、図５ｂは盤体の隅部を契合するオス継手である。オス継手は平板上に突出する棒体であり、棒体の表面には環状溝１及び環状溝２が設けられている。この二本の環状溝は上記契合用片部１と契合用片部２に対応する位置に設けられている。これらは第１のオス継手と同様である。更に、  図５ａに示すオス継手は、平板の中央に２対の柱体が立ち上がりその柱体の頭部には押さえ契合辺が設けられている。柱体の位置は契合時盤体の縁に沿って立ち上がるように設けられ、かつ、柱体の長さは盤体の厚さとほぼ等しく、柱体の頭部に設けた押さえ契合片が盤体の縁部を押さえる位置にくる。
【００１４】
図５ａは盤体の辺部を契合するオス継手であり、柱体が直線状に設けられている。図５ｂに示すオス継手は、盤体の隅部を契合するためのものであり、柱体が４対十字状に設けられている。
【００１５】
オス継手の対となる柱体の間が箱状となっているが、この箱の幅は適宜変更可能である。
図６は、図５に示したオス継手の対となる柱体の間にある隙間をなくした例である。
上記柱体を有するオス継手にあっては、対応するメス継手が存在する盤体の側面に柱体がはめ込むだけの凹部を設けておき、契合の際盤体側面が密着できるようにしておくこともできる。
【００１６】
図７は、図５ａに示したオス継手と、メス継手の契合状態を示す概念図である。図７ａは契合前、図７ｂは契合後の状態示している。図に示すように筒部と棒体による契合と、柱体に設けた契合片が盤体を押さえる効果とにより、より強固な契合が得られる。
【００１７】
本継手を使用するブロックを縦横に配列契合し、貯留用の空間を構成し、その周囲を透水性若しくは遮水性のシートで覆い、雨水の流出抑制用の貯留若しくは浸透槽として利用される。
【産業上の利用可能性】
【００１８】
図８に示すような雨水貯留浸透施設の充填材としての盤体を有する樹脂製ブロックの契合用に使用できる。
【符号の説明】
【００１９】
１  メス継手
１１  筒部
１２  契合用片部１
１３  契合用片部２
２  オス継手
２１  棒体
２２  環状溝１
２３  環状溝２
２４  柱体
２５  押さえ契合片
３  樹脂製盤体を有するブロック
【図１】
2011236955.tif 000003
【図２】
2011236955.tif 000004
【図３】
2011236955.tif 000005
【図４】
2011236955.tif 000006
【図７】
2011236955.tif 000007
【図５】
2011236955.tif 000008
【図６】
2011236955.tif 000009
【図８】
2011236955.tif 000010